(57)【要約】【課題】  ディスク押えと鍔体とが、組立て時とは逆向きに回動してしまうことを阻止する対策を講じることによって、組み立てられたディスククランパが不慮に分解されてしまうことを防止する。【解決手段】  ディスク押え１０と鍔体４０とを連結するための結合機構Ｍを有する。結合機構Ｍが、スペーサ５０と、開口部６０と、スペーサ５０の基端縁部でなる被係止部５１に係合する爪部２３を備えた係止フック２０とを有する。開口部６０が幅広部６１と幅狭部６２とを有する。開口部６０の幅狭部６２に位置している爪部２３が幅広部６１へ移動することを阻止するストッパ機構Ｓを備える。ストッパ機構Ｓが爪部２３に係合する突起６５を備える。突起６５を幅狭部６２の口縁に形成する。【選択図】        図２
2011113601.tif 000002
【特許請求の範囲】
【請求項１】
ターンテーブルとの間でディスクを挟持する円板形のディスク押えと、このディスク押えに対向される円板形の鍔体と、ディスク押えと鍔体とのうちの一方側部材に設けられてそれらの対向間隔を規制する円筒状のスペーサと、上記スペーサが遊嵌合される円形孔部を有するクランパプレートと、この円形孔部の周縁部により形成されて上記鍔体を係止する鍔受部と、ディスク押えと鍔体とを同心状に連結するための結合機構と、を有し、
上記結合機構が、上記スペーサと、このスペーサを備える上記一方側部材に開設されてそのスペーサの基端縁部を露出させる開口部と、鍔体又はディスク押えのうちの他方側部材に設けられて、上記開口部から露出している上記スペーサの基端縁部によって形成された被係止部に係合することによってそのスペーサを当該他方側部材との間に挟み込む爪部を備えた係止フックと、を有し、
上記開口部は、上記係止フックの爪部が挿入される幅広部と、上記被係止部に係合している上記爪部の背面に対峙してその爪部が被係止部から離脱することを阻止する爪受け部を備えた幅狭部と、が連続してなり、
上記開口部の幅狭部に位置している上記爪部がその幅狭部から幅広部へ移動することを阻止するストッパ機構を備えていることを特徴とするディスククランパ。
【請求項２】
上記ストッパ機構が、上記爪部の背部に具備された凹入部と、上記開口部の幅狭部の口縁に形成されて上記凹入部に嵌合して上記爪部の上記移動を阻止する突起でなる請求項１に記載したディスククランパ。
【請求項３】
上記ストッパ機構が、上記開口部の幅狭部の口縁に形成されて上記爪部の幅方向端に係合して上記移動を阻止する突起でなる請求項１に記載したディスククランパ。
【請求項４】
上記突起は、上記爪部が上記開口部の幅広部から幅狭部へ向けて移動するときに、その爪部を有する上記係止フック又は上記スペーサを弾性変形させながら当該爪部を乗り越えさせる形状を有している請求項２又は請求項３に記載したディスククランパ。
【請求項５】
上記結合機構が、当該ディスククランパの回転方向等角度おきの３箇所に設けられている請求項１ないし請求項４のいずれか１項に記載したディスククランパ。
【発明の詳細な説明】
【技術分野】
【０００１】
本発明は、ＣＤ、ＤＶＤ、ＢＤといった円板形のディスクを取り扱うディスククランパ、特に、組立後や動作中に不慮に分解されることを防止するための対策が講じられているディスククランパに関する。
【背景技術】
【０００２】
この種のディスククランパは、ディスクの記録面を光学的に処理するディスク装置に採用されていて、一般的にはそのディスク装置のローダシャーシに配備されるクランパプレートに取り付けられている。また、このディスククランパは、クランパプレートへの取り付けの便宜などを考慮して、円板形のディスク押え及びその付属要素と円板形の鍔体及びその付属要素とに分かれていて、それらを組み合わせることによって上記ディスククランパに取り付けられる。さらに、ディスククランパは、ターテンーブルとの間でディスクを挟持した状態で高速回転するために、その高速回転中の振動によって不慮に分解されてしまうという事態を回避しておく必要があるだけでなく、ディスク装置の光学性能を維持する上でディスククランパに高い機械的精度が要求されるために、人為的な操作によって容易に分解されてしまうという事態を回避しておく必要もある。
【０００３】
次に、従来例としてのディスククランパの構成部材を図７〜図９を参照して説明し、図１０、図１１及び図１２を参照して組立工程を説明し、さらに図１３を参照してその動作状態を説明する。
【０００４】
図７はディスク押え１０とその付属要素を内面側から見て示した平面図、図８は鍔体とその付属要素を外面側から見て示した平面図、図９は鍔体とその付属要素を内面側から見て示した平面図である。また、図１０は組立工程の初期段階を示した平面図、図１１は組立後の状態を示した平面図である。さらに、図１２は組立て前の状態を説明的に示した縦断側面図、図１３は動作状態の縦断側面図である。
【０００５】
図７のように、ディスク押え１０は円板形に形成されていて、その中央に円形孔１１が開設されていると共に、その円形孔１１の周辺部分が内側（上側）へ膨らみ出ていることによって、その周辺部分の外面側に円形凹所１２（図１２又は図１３参照）が形成されている。ディスク押え１０の付属要素には、上記円形孔１１の周囲でディスク押え１０の周方向等角度おきの３箇所に設けられた係止フック２０と、背低円筒状の位置決め片３０とが含まれる。円筒状の位置決め片３０は上記係止フック２０の形成箇所ごとに欠除されている。３１は位置決め片３０の欠除箇所を示している。係止フック２０は、ディスク押え１０の内面から立ち上げられた弾性を備える脚部２２とその脚部２２の頂部に形成されている外向きの爪部２３とを有する。ディスク押え１０と係止フック２０と位置決め片３０とは樹脂の一体成形体でなる。なお、２１は係止フック２０の成形時の型抜き跡によって生じた開口である。
【０００６】
図８又は図９のように、鍔体４０は円板形に形成されている。鍔体４０の付属要素には、その鍔体４０の内面から立ち上げられた円筒状のスペーサ５０と、そのスペーサの内側に形成されている複数箇所の内向き片４１と、それらの内向き片４１の内側に形成されている径小筒部４２とが含まれている。また、鍔体４０には、スペーサ５０の形成箇所の複数箇所に位置する開口部６０が開設されていて、この開口部６０ではスペーサ５０の基端縁部が表面側に露出している。
【０００７】
上記開口部６０は、上記ディスク押え１０の係止フック２０の爪部２３を挿入可能な幅を有する幅広部６１と、この幅広部６１の片側に位置してその幅広部６１に連続する幅狭部６２とを有し、幅狭部６２の内側の口縁部は、その幅狭部６２に位置している上記係止フック２０の爪部２３に対峙する爪受け部６３として形成されている。
【０００８】
ディスククランパは、上記した構成を有するディスク押え１０と鍔体４０とを同心状に連結することによって構成されるのであって、その連結のための結合機構が、鍔体４０側のスペーサ５０及び開口部６０と、ディスク押え１０側の係止フック２０とによって形成されている。
【０００９】
図１０及び図１１のように、ディスク押え１０と鍔体４０とを同心状に連結するための結合機構Ｍは、ディスククランパＣの周方向等角度おきの複数箇所、図例では３箇所に介在されている。
【００１０】
図１０及び図１２はディスククランパの組立工程の初期段階を示している。この初期段階では、ディスク押え１０側の位置決め片３０を鍔体４０側の円筒状のスペーサ５０の内側に嵌合することによってディスク押え１０と鍔体４０とを同心状に位置合わせすることと、ディスク押え１０側の係止フック２０の爪部２３を、スペーサ５０の基端縁部によって形成されている被係止部５１に係合させること、とが行われる。爪部２３を被係止部５１に係合させる工程では、３箇所の係止フック２０の爪部２３を鍔体４０側のスペーサ５０の内側に押し込むことにより、係止フック２０の脚部２２を弾性を利用して撓ませながら爪部２３にスペーサ５０を乗り越えさせて、その爪部２３を開口部６０の幅広部６１に挿入すると共に、脚部２２を弾性により復帰させて幅広部６１に挿入した爪部２３を上記被係止部５１に係合させる、という手順が行われる。
【００１１】
次の段階では、図１１に矢印Ｒで示したようにディスク押え１０に対して鍔体４０を相対的に回動させることによって、開口部６０の幅広部６１内でスペーサ５０の被係止部５１に係合している係止フック２０の爪部２３を、その開口部６０の幅狭部６２に向けて移動させる。この操作を行うと、幅狭部６２の内側の口縁部によって形成されている爪受け部６３が爪部２３の背面に対峙して爪部２３が被係止部５１から離脱することが阻止される。
【００１２】
なお、上記した組立工程では、図１２によって判るように、ディスク装置のローダシャーシ（不図示）に配備されるクランパプレート７０の円形孔部７１に鍔体４０側の円筒状のスペーサ５０を挿入して遊嵌合させることと、鍔体４０とディスク押え１０との間に永久磁石８０（又は鉄板などのヨーク）を組み付けることと、が行われる。
【００１３】
図１３のように、クランパプレート７０に取り付けられたディスククランパＣは、ディスク装置のターテーブル１００に載架されているディスクＤを、永久磁石８０（又はヨーク）の吸引作用を介し、そのターンテーブル１００と共働して挟持する。この挟持状態では、ディスククランパＣのディスク押え１０がディスクＤをターンテーブル１００に押し付けている。また、図示していないけれども、ディスクＤの載架されているターテーブル１００が退避位置まで下降すると、ディスククランパＣの鍔体４０がクランパプレート７０の円形孔部７１の周縁部により形成されている鍔受部７２により受け止められて、ディスク押え１０がターンテーブル１００から離れる。
【００１４】
先行例には、フックと係合孔との係合構造を利用して組み立てられたクランパが開示されている（たとえば、特許文献１参照）。
【００１５】
他の先行例には、クランパ本体と蓋体との結合強度を高める対策が講じられたクランパについての記述がある（たとえば、特許文献２参照）。
【００１６】
さらに他の先行例には、薄形化を図るための対策を講じたクランパを有するディスク装置についての記述がある（たとえば、特許文献３参照）。
【先行技術文献】
【特許文献】
【００１７】
【特許文献１】特開２００８−４２０９号公報
【特許文献２】特開２００４−１８５７７４号公報
【特許文献３】特開２００５−１５８２１２号公報
【発明の概要】
【発明が解決しようとする課題】
【００１８】
図１０及び図１１を参照して説明したところから明らかなように、従来例としてのディスククランパＣは、ディスク押え１０側の係止フック２０を鍔体４０側の開口部６０の幅広部６１に挿入して係止フック２０の爪部２３を被係止部５１に係合させた後、ディスク押え１０と鍔体４０とを相対的に回動させて係止フック２０の爪部２３を開口部６０の幅狭部６２にまで移動させる、という操作を行うだけで組み立てることができる。そして、組立て後には、開口部６０の幅狭部６２の爪受け部６３が爪部２３の背面に対峙してその爪部２３が被係止部５１から離脱することを阻止するため、係止フック２０の脚部２２が内方へ撓み変形して爪部２３が被係止部５１から離脱するという状況での不慮の分解は起こり得ない。
【００１９】
しかしながら、従来例のディスククランパＣにあっては、図１１又は図１３のように、爪受け部６３が被係止部５１に係合している爪部２３の背面に対峙しているとしても、ディスク押え１０と鍔体４０とが、組立て時とは相対的に逆向きに回動した場合には、係止フック２０の爪部２３が開口部６０の幅狭部６２から出て幅広部６１にまで移動するという事態が起こり得る。そして、このような事態が起こると、幅広部６１内で爪部２３が背面側に変位して被係止部５１から離脱してしまい、その結果、ディスククランパＣが不慮に分解されてしまうおそれがある。この状況は、ターテンーブルとの間でディスクを挟持した状態でディスククランパＣが高速回転しているときの振動などによって生じる可能性があり、人為的な操作によってなされる可能性もある。
【００２０】
本発明は以上の状況に鑑みてなされたものであり、組立て後のディスク押えと鍔体とが、組立て時とは相対的に逆向きに回動してしまうことを未然に阻止することのできる対策を講じることによって、不慮に分解されてしまうことを防止することのできるディスククランパを提供することを目的とする。
【課題を解決するための手段】
【００２１】
本発明に係るディスククランパは、ターンテーブルとの間でディスクを挟持する円板形のディスク押えと、このディスク押えに対向される円板形の鍔体と、ディスク押えと鍔体とのうちの一方側部材に設けられてそれらの対向間隔を規制する円筒状のスペーサと、上記スペーサが遊嵌合される円形孔部を有するクランパプレートと、この円形孔部の周縁部により形成されて上記鍔体を係止する鍔受部と、ディスク押えと鍔体とを同心状に連結するための結合機構と、を有する。また、上記結合機構が、上記スペーサと、このスペーサを備える上記一方側部材に開設されてそのスペーサの基端縁部を露出させる開口部と、鍔体又はディスク押えのうちの他方側部材に設けられて、上記開口部から露出している上記スペーサの基端縁部によって形成された被係止部に係合することによってそのスペーサを当該他方側部材との間に挟み込む爪部を備えた係止フックと、を有する。上記開口部は、上記係止フックの爪部が挿入される幅広部と、上記被係止部に係合している上記爪部の背面に対峙してその爪部が被係止部から離脱することを阻止する爪受け部を備えた幅狭部と、が連続してなる。
【００２２】
そして、この発明では、特に、上記開口部の幅狭部に位置している上記爪部がその幅狭部から幅広部へ移動することを阻止するストッパ機構を備えている。
【００２３】
この構成であると、開口部の幅狭部でスペーサの被係止部に係合している係止フックの爪部が、その幅狭部内で被係止部から離脱することが爪受け部によって阻止されるだけでなく、ストッパ機構の作用で、爪部が幅狭部から幅広部へ移動することが阻止される。そのため、組立て後のディスク押えと鍔体とが、組立て時とは相対的に逆向きに回動してしまうことが未然に阻止されることになり、ディスククランパが不慮に分解されてしまうことがなくなる。
【００２４】
本発明において、上記ストッパ機構は、上記爪部の背部に具備された凹入部と、上記開口部の幅狭部の口縁に形成されて上記凹入部に嵌合して上記爪部の上記移動を阻止する突起でなるものであっても、上記開口部の幅狭部の口縁に形成されて上記爪部の幅方向端に係合して上記移動を阻止する突起でなるものであってもよい。
【００２５】
ストッパ機構が、上記のように開口部の幅狭部の口縁の突起によって形成されているものにおいて、その突起は、上記爪部が上記開口部の幅広部から幅狭部へ向けて移動するときに、その爪部を有する上記係止フック又は上記スペーサを弾性変形させながら当該爪部を乗り越えさせる形状を有していることが望ましい。この構成であれば、組立工程では、従来例で説明したところと同様に、係止フックを開口部の幅広部に挿入して係止フックの爪部を被係止部に係合させた後、ディスク押えと鍔体とを相対的に回動させて係止フックの爪部を開口部６０の幅狭部にまで移動させる、という操作を行うだけで組み立てることができる。
【００２６】
本発明では、上記結合機構が、当該ディスククランパの回転方向等角度おきの３箇所に設けられている、という構成を採用することが可能である。
【発明の効果】
【００２７】
本発明によると、開口部の幅狭部でスペーサの被係止部に係合している係止フックの爪部が、その幅狭部内で被係止部から離脱することが爪受け部によって阻止されるだけでなく、開口部に設けられた突起でなるストッパの作用で、爪部が幅狭部から幅広部へ移動することが阻止されるため、ディスククランパが高速回転時の振動や人為的な操作によって不慮に分解されてしまうことがなくなる。したがって、ディスククランパを備えたディスク装置の動作信頼性が向上する。
【図面の簡単な説明】
【００２８】
【図１】本発明の実施形態によるディスククランパの組立て後の状態を示した平面図である。
【図２】本発明の実施形態の１つの結合機構について示した組立工程の説明図である。
【図３】本発明の実施形態の開口部と被係止部とを示した拡大平面図である。
【図４】本発明の他の実施形態によるディスククランパの組立後の状態を示した平面図である。
【図５】他の実施形態の１つの結合機構について示した組立工程の説明図である。
【図６】他の実施形態の開口部と被係止部とを示した拡大平面図である。
【図７】従来例によるディスククランパのディスク押えなどを内面側から見て示した平面図である。
【図８】従来例によるディスククランパの鍔体などを外面側から見て示した平面図である。
【図９】従来例によるディスククランパの鍔体などを内面側から見て示した平面図である。
【図１０】従来例によるディスククランパの組立工程の初期段階を示した平面図である。
【図１１】従来例によるディスククランパの組立後の状態を示した平面図である。
【図１２】従来例によるディスククランパの組立て前の状態を説明的に示した縦断側面図である。
【図１３】ディスククランパの動作状態の縦断側面図である。
【発明を実施するための形態】
【００２９】
図１は本発明の実施形態によるディスククランパの組立後の状態を示した平面図、図２は１つの結合機構Ｍについて示した組立工程の説明図、図３は開口部６０と被係止部５１とを示した拡大平面図である。
【００３０】
この実施形態のディスククランパは、図７に示したディスク押え１０やその付属要素、図８及び図９に示した鍔体４０やその付属要素の構成をすべて備えている。したがって、以下では、説明の重複を避けるために、図７〜図９に示した要素と同一又は相応する要素に同一の符号を付すことによって、ディスク押え１０や鍔体４０、それらの付属要素についての詳細構造の説明を省略する。
【００３１】
図１又は図２のように、この実施形態のディスククランパＣは、鍔体４０に備わっている開口部６０の幅狭部６２に位置している爪部２３がその幅狭部６２から幅広部６１へ移動することを阻止するストッパ機構Ｓを備えている。
【００３２】
図２に拡大して示したように、ストッパ機構Ｓは、爪部２３の背部に具備された凹入部２４と、開口部６０の幅狭部６２の口縁に形成された外向きの突起６５とによって形成されている。そして、凹入部２４には鍔体４０の半径方向内向きに突き出た係合面２５が備わっている。これに対し、図２又は図３に示したように、突起６５には、ディスク押え１０の半径方向外向きに突き出た係合面６６が備わっている。さらに、突起６５には、組立て時に爪部２３を乗り越えさせるための傾斜したガイド面６７が備わっている。
【００３３】
この実施形態のディスククランパＣにおいて、組立工程では、図１０及び図１１を参照して説明したところと同様の操作が行われる。すなわち、初期段階では、ディスク押え１０側の位置決め片３０を鍔体４０側の円筒状のスペーサ５０の内側に嵌合することによってディスク押え１０と鍔体４０とを同心状に位置合わせすることと、ディスク押え１０側の係止フック２０の爪部２３を、スペーサ５０の基端縁部によって形成されている被係止部５１に係合させること、とが行われる。爪部２３を被係止部５１に係合させる工程では、３箇所の係止フック２０の爪部２３を鍔体４０側のスペーサ５０の内側に押し込むことにより、係止フック２０の脚部２２を弾性を利用して撓ませながら爪部２３にスペーサ５０を乗り越えさせて、その爪部２３を開口部６０の幅広部６１に挿入すると共に、脚部２２を弾性により復帰させて幅広部６１に挿入した爪部２３を被係止部５１に係合させる、という手順が行われる。
【００３４】
次の段階では、ディスク押え１０と鍔体４０とを、図１又は図２の矢印Ｒのように（又は図１１の矢印Ｒ）相対的に回動させることによって、係止フック２０の爪部２３を開口部６０の幅狭部６２に向けて移動させる。この操作を行うと、係止フック２０やスペーサ５０を弾性変形させながら爪部２３が突起６５のガイド面６７を摺動してその突起６５を乗り越え、爪部２３の凹入部２４と突起６５とが図２のように嵌合して組立工程が終了する。
【００３５】
図１又は図２に示した組立て後のディスククランパＣにおいて、開口部６０の幅狭部６２に位置して被係止部５１に係合している爪部２３の凹入部２４と突起６５とが嵌合している状態では、幅狭部６２の内側の口縁部によって形成されている爪受け部６３が爪部２３の背面に対峙して爪部２３が被係止部５１から離脱することが阻止される。これと併せて、凹入部２４及び突起６５の係合面２５，６６同士の係合構造によって、爪部２３が幅狭部６２から幅広部６１へ移動することが阻止される。したがって、ディスククランパＣが一旦組み立てられた後は、爪部２３が幅狭部６２から幅広部６１に移動することがなくなり、ディスククランパＣが高速回転して振動しても、あるいは、人為的にディスク押え１０と鍔体４０とが相対的に逆向き回動操作されても、爪部２３が被係止部５１から離脱することはない。
【００３６】
図４は本発明の他の実施形態によるディスククランパの組立後の状態を示した平面図、図５は１つの結合機構Ｍについて示した組立工程の説明図、図６は開口部６０と被係止部５１とを示した拡大平面図である。
【００３７】
この実施形態のディスククランパは、図７に示したディスク押え１０やその付属要素、図８及び図９に示した鍔体４０やその付属要素の構成をすべて備えている。したがって、以下では、説明の重複を避けるために、図７〜図９に示した要素と同一又は相応する要素に同一の符号を付すことによって、ディスク押え１０や鍔体４０、それらの付属要素についての詳細構造の説明を省略する。
【００３８】
この実施形態のストッパ機構Ｓを、図１〜図３に示した実施形態のストッパ機構Ｓと比べると次の点で相違している。すなわち、開口部６０の幅狭部６２の周方向長さを図１〜図３に示したそれよりも延長することによって、幅狭部６２に位置している爪部２３の幅方向端縁２６に、ストッパ機構Ｓを形成している突起６５の係合面６６が係合する構成としてある。この実施形態において、その他の構成は図１〜図３に示した実施形態と同様である。したがって、同一又は相応する部分に同一の符号を付してある。
【００３９】
このストッパ機構Ｓによっても、ディスククランパＣが一旦組み立てられた後は、爪部２３が幅狭部６２から幅広部６１に移動することがなくなり、ディスククランパＣＫが高速回転して振動しても、あるいは、人為的にディスク押え１０と鍔体４０とが相対的に逆向き回動操作されても、爪部２３が被係止部５１から離脱することはない。
【００４０】
以上説明した実施形態では、結合機構Ｍのスペーサ５０と開口部６０とが鍔体４０に設けられ、結合機構Ｍの係止フック２０がディスク押え１０に設けられているけれども、この点は、スペーサと開口部とをディスク押えに設け、係止フックを鍔体に設けておいてもよい。また、ストッパ機構Ｓについては、凹入部２４が爪部２３に設けられ、突起６５が開口部６０の幅狭部６２の口縁に設けられているけれとも、これとは逆に、凹入部を開口部の幅狭部の口縁に設け、突起を爪部に設けておいてもよい。
【符号の説明】
【００４１】
１０  ディスク押え
２０  係止フック
２４  凹入部
２６  爪部の幅方向端縁
４０  鍔体
５０  スペーサ
５１  被係止部
６０  開口部
６１  幅広部
６２  幅狭部
６３  爪受け部
６５  突起
７０  クランパプレート
７１  円形孔部
７２  鍔受部
１００  ターンテーブル
Ｃ  ディスククランパ
Ｄ  ディスク
Ｍ  結合機構
Ｓ  ストッパ機構
【図１】
2011113601.tif 000003
【図２】
2011113601.tif 000004
【図３】
2011113601.tif 000005
【図４】
2011113601.tif 000006
【図５】
2011113601.tif 000007
【図６】
2011113601.tif 000008
【図７】
2011113601.tif 000009
【図８】
2011113601.tif 000010
【図９】
2011113601.tif 000011
【図１０】
2011113601.tif 000012
【図１１】
2011113601.tif 000013
【図１２】
2011113601.tif 000014
【図１３】
2011113601.tif 000015